(57)【要約】【課題】表示装置が対面者同士の対話の邪魔になることがなく、かつ、天板を安定して支持しつつ天板下方に極力広い下肢空間を確保することができるカウンター装置を提供すること。【解決手段】左右の側板７と、該左右の側板７間に架設された天板６と、該天板６の下方空間を前後に仕切るように配設される左右方向を向く仕切り部材と、を備えるカウンター装置１であって、前記仕切り部材は、互いに前後方向に離間配置される前後一対の仕切り板８，９からなり、前記前後一対の仕切り板８，９間に形成された仕切空間部Ｓ１に、薄型表示装置５を、その表示部５ａが前方に傾斜するように収容するとともに、前記天板６には、前記表示部５ａを視認可能とする窓部１４が設けられている。【選択図】図３
2009017928.tif 000002
【特許請求の範囲】
【請求項１】
左右の側板と、該左右の側板間に架設された天板と、該天板の下方空間を前後に仕切るように配設される左右方向を向く仕切り部材と、を備えるカウンター装置であって、
前記仕切り部材は、互いに前後方向に離間配置される前後一対の仕切り板からなり、
前記前後一対の仕切り板間に形成された仕切空間部に、薄型表示装置を、その表示部が前方に傾斜するように収容するとともに、前記天板には、前記表示部を視認可能とする窓部が設けられていることを特徴とするカウンター装置。
【請求項２】
前記前後一対の仕切り板のうち前側仕切り板における前記薄型表示装置に対応する箇所に、前方に向けて膨出する膨出部を形成するとともに、該膨出部を前記窓部に連通したことを特徴とする請求項１に記載のカウンター装置。
【請求項３】
前記窓部の左右幅寸法を、前記表示部の左右幅寸法よりも大としたことを特徴とする請求項１または２に記載のカウンター装置。
【請求項４】
前記天板上面における前記窓部と前記側板との間に、前記薄型表示装置に接続され、前記表示部の表示制御を行うコンピュータを設置するためのコンピュータ設置部が形成されていることを特徴とする請求項１ないし３のいずれかに記載のカウンター装置。
【発明の詳細な説明】
【技術分野】
【０００１】
本発明は、左右の側板と、該左右の側板間に架設された天板と、該天板の下方空間を前後に仕切るように配設される左右方向を向く仕切り部材と、を備えるカウンター装置に関する。
【背景技術】
【０００２】
従来、この種のカウンター装置は、例えば金融機関の店舗等において接客用のカウンターとして利用されている。
【０００３】
通常の使用形態としては、カウンターの前後に椅子が設けられ、前側には顧客が着座し、後側には金融機関の店員等が着座し、顧客と店員との間で対話が行われている。また、近年では、例えば商品説明のためのデータ等を顧客に提示するために、カウンターの天板上に表示装置を設置し、表示装置にデータを表示して顧客に提示することがあるが、表示装置をカウンターの天板上に設置すると、店員と顧客との間に表示装置が配置されて対話の邪魔になるという問題があった。
【０００４】
一方、このような表示装置を例えば天板の下方に埋設したもの等がある（例えば、特許文献１参照）。
【０００５】
【特許文献１】特開平２−１４５１５７号公報（第４図）
【発明の開示】
【発明が解決しようとする課題】
【０００６】
しかしながら、上記特許文献１に記載のカウンター装置にあっては、天板の下方を前後に仕切る中脚及び下脚のみにより天板が支持されているため、不安定で天板が倒れやすいばかりか、これら中脚及び下脚から後方に延びる補助脚を延設することで安定感を高めているため、補助脚が下肢側に張り出してきて邪魔になるという問題があった。
【０００７】
本発明は、このような問題点に着目してなされたもので、表示装置が対面者同士の対話の邪魔になることがなく、かつ、天板を安定して支持しつつ天板下方に極力広い下肢空間を確保することができるカウンター装置を提供することを目的とする。
【課題を解決するための手段】
【０００８】
前記課題を解決するために、本発明の請求項１に記載のカウンター装置にあっては、
左右の側板と、該左右の側板間に架設された天板と、該天板の下方空間を前後に仕切るように配設される左右方向を向く仕切り部材と、を備えるカウンター装置であって、
前記仕切り部材は、互いに前後方向に離間配置される前後一対の仕切り板からなり、
前記前後一対の仕切り板間に形成された仕切空間部に、薄型表示装置を、その表示部が前方に傾斜するように収容するとともに、前記天板には、前記表示部を視認可能とする窓部が設けられていることを特徴としている。
この特徴によれば、天板上方に薄型表示装置を突出させることなく、天板下方の空間部内に収容されるため、薄型表示装置が対面者同士の対話の邪魔になることがないとともに、表示装置が薄型であり、かつ前方に傾斜するように配設されていることで、仕切空間部の前後幅を短寸にできるため、天板下方に極力広い下肢空間を確保することができる。
また、天板は左右の側板により支持されるため安定性が高まるとともに、薄型表示装置の前後が仕切り板により覆われて外部に露呈することがないので、外観体裁が損なわれることがない。
【０００９】
本発明の請求項２に記載のカウンター装置は、請求項１に記載のカウンター装置であって、
前記前後一対の仕切り板のうち前側仕切り板における前記薄型表示装置に対応する箇所に、前方に向けて膨出する膨出部を形成するとともに、該膨出部を前記窓部に連通したことを特徴としている。
この特徴によれば、表示部の前方空間が拡がるため、天板の前方から乗り出して窓部を覗き込まなくても表示部を視認することができる。さらに、膨出部は、前側仕切り板に部分的に形成されていることで、天板の下方における前側仕切り板よりも前方に、極力広い下肢空間を確保することができる。
【００１０】
本発明の請求項３に記載のカウンター装置は、請求項１または２に記載のカウンター装置であって、
前記窓部の左右幅寸法を、前記表示部の左右幅寸法よりも大としたことを特徴としている。
この特徴によれば、窓部の左右方向の視認領域が拡がり、これにより天板に乗り出して窓部を覗き込まなくても、左右側方から表示部を視認することが可能となる。
【００１１】
本発明の請求項４に記載のカウンター装置は、請求項１ないし３のいずれかに記載のカウンター装置であって、
前記天板上面における前記窓部と前記側板との間に、前記薄型表示装置に接続され、前記表示部の表示制御を行うコンピュータを設置するためのコンピュータ設置部が形成されていることを特徴としている。
この特徴によれば、薄型表示装置の表示制御を行うコンピュータ本体を、窓部の側方に配設しておくことができるため、対面者同士の対話の邪魔になることがない。
【発明を実施するための最良の形態】
【００１２】
本発明に係るカウンター装置を実施するための最良の形態を実施例に基づいて以下に説明する。
【実施例】
【００１３】
本発明の実施例を図面に基づいて説明すると、先ず図１は、本発明の実施例としてのカウンター装置が設置されている状態を示す平面図である。図２は、カウンター装置の内部構造を示す斜視図である。図３は、図１のＡ−Ａ断面図である。図４は、図３のＢ−Ｂ断面図である。以下、図１の下側及び図３の右側をカウンター装置の前側（顧客側）、図１の上側及び図３の左側をカウンター装置の後側（店員側）として説明する。
【００１４】
図１には、本発明の実施例としての複数のカウンター装置１，１及びカウンター１’が、例えば金融機関の店舗等に、長手方向に向けて複数並設されている状態が示されている。カウンター装置１は、左右の側板７，７と、該左右の側板７，７間に架設された天板６と、該天板６の下方空間を前後に仕切るように配設される左右方向を向く仕切り部材である前側仕切り板８及び後側仕切り板９と、から主に構成されている。尚、隣り合う天板６，６間に配置される側板７は、隣り合うカウンター装置１，１において共用されている。
【００１５】
尚、図１中左側のカウンター１’は、特に詳細な図示はしないが、左右の側板７，７と、該左右の側板７，７間に架設された天板６と、該天板６の下方空間を前後に仕切るように配設される左右方向を向く仕切り部材とを有し、カウンター装置１とほぼ同様に構成されているが、後述する顧客用の表示装置等が配置されないカウンターとして構成されている。
【００１６】
天板６の前側には、顧客用椅子３が２つ設置されているとともに、天板６の後側には、店員用椅子２が１つ設置されている。床面Ｆに立設された前後方向を向く側板７は、下端が床面Ｆに接地されるとともに、その前端が天板６の前端よりも前側に張り出して設けられており、隣り合うカウンター装置１，１それぞれの顧客スペースを区画している。また、天板６よりも上方に突出する高さ幅寸法を有しており、隣り合う天板６，６の上方スペースを区画している。
【００１７】
天板６は、平面視横長四角形状に形成されており、その左右の側端面は、図４に示されるように、側板７，７の内面にそれぞれ当接した状態で固定されている。つまり、天板６は左右の側板７，７により支持されている。また、天板６の略中央位置には、後述する表示装置としての顧客用液晶表示器５の表示部５ａを外部から視認可能とする横長四角形状の透視窓１４（窓部）が形成されている。透視窓１４は、透明なアクリル板１５により閉塞されており、該アクリル板１５を通して内部の表示部５ａを視認できるとともに、天板６の上面と面一をなすアクリル板１５によって、透視窓１４上に書類等を載置することができるようになっている。
【００１８】
より詳しくは、図４に示されるように、透視窓１４の左右幅寸法Ｌ２は、表示部５ａの左右幅寸法Ｌ１よりも大寸（Ｌ２＞Ｌ１）とされており、かつ、該透視窓１４の左右方向の略中央位置に表示部５ａが配設されている。つまり、透視窓１４の左右方向の視認領域が拡がり、これにより天板６に乗り出して透視窓１４を覗き込まなくても、透視窓１４の下方に配置される顧客用液晶表示器５の表示部５ａを、天板６の上方における該表示部５ａの左右側方からでも視認できる。
【００１９】
また、透視窓１４の左右幅寸法Ｌ２は、天板６の左右幅寸法Ｌ３よりも小寸（Ｌ３＞Ｌ２）とされており、かつ、天板６の左右方向の略中央位置に透視窓１４が形成されているため、天板６の上面における透視窓１４の左右側に、店員が使用するコンピュータ４を設置するためのコンピュータ設置部３０が形成されるようになっている。尚、本実施例では、店員側（後側）から見て左側に形成されたコンピュータ設置部３０にのみ、コンピュータ４が設置されている。
【００２０】
このように、左右方向の中央位置に形成される透視窓１４の左右側方にコンピュータ設置部３０が形成されることで、店員と顧客との間にコンピュータ４を設置しなくて済むため、店員と顧客同士の対話の邪魔になることがない（図１参照）。尚、コンピュータ４は、後述する店員用液晶表示器４ａや入力装置４ｂ（キーボード等）を含む。
【００２１】
天板６の下方に配設される前側仕切り板８及び後側仕切り板９は、図２〜図４に示されるように、左右端が側板７の内面に当接し、かつ、上端が天板６の下面に連結するように左右方向に向けて配設され、左右端に内向きに屈曲形成された屈曲片８ａ，９ａを側板７にビス等により固定することで側板７に連結されている。また、本実施例では、後側仕切り板９の下端のみ床面Ｆ上に接地されている。
【００２２】
また、前側仕切り板８及び後側仕切り板９は、特に図３に示されるように、互いに前後方向に所定距離離間した状態で配設され、天板６の下方におけるこれら前側仕切り板８及び後側仕切り板９間には仕切空間部Ｓ１が形成されている。そしてこの仕切空間部Ｓ１内上部には、薄型表示装置としての顧客用液晶表示器５が、天板６における透視窓１４の下方に全体が埋設された状態で収容されている。
【００２３】
この顧客用液晶表示器５は、店員が使用するコンピュータ４に接続されており、同じく該コンピュータ４に接続される顧客用液晶表示器５とは別個の店員用液晶表示器４ａ（図１、図４参照）に表示される情報と同様の情報が表示されるようになっている。つまり、コンピュータ４は、顧客用液晶表示器５及び店員用液晶表示器４ａが接続されるとともに、該接続される双方の表示器の表示制御を行う表示制御手段（ＣＰＵ等）を備えている。
【００２４】
そして、本実施例では、店員が対面する顧客に商品情報を説明する際等において、コンピュータ４の入力装置４ｂにて操作して店員用液晶表示器４ａに所定の情報を表示させることで、該表示された情報と同様の情報が顧客用液晶表示器５に表示されるようになっているため、店員用液晶表示器４ａをその都度対面する顧客側に向けることなく情報の内容を説明することができる。尚、これら顧客用液晶表示器５及び店員用液晶表示器４ａ双方の表示部には、必ずしも同様の情報が表示されなくてもよい。
【００２５】
尚、本実施例では、ＣＲＴモニター等に比べて比較的薄型の表示装置の一例として、液晶表示器を適用しているが、表示装置の種類は限定されるものではなく、プラズマディスプレイやエレクトロ・ルミネッセンスディスプレイ等を適用してもよい。
【００２６】
顧客用液晶表示器５は、図３に示されるように、その表示部５ａ（表示画面）の下端が上端よりも前方に傾斜するように、つまり表示部５ａが顧客側である斜め前上方を向くようにθ１＝約４５度傾けた状態で配設されている。
【００２７】
詳しくは、仕切空間部Ｓ１内における透視窓１４の下方には、上下方向を向く前後一対の縦フレーム１０ａと、縦フレーム１０ａ，１０ａの上下端部間を連結する連結フレーム１０ｂと、左右方向を向く横フレーム１０ｃと、から直方体形状に形成される構造枠体１０が配設されている。
【００２８】
構造枠体１０は、透視窓１４の左右幅寸法Ｌ２とほぼ同寸の左右幅寸法を有し、前側仕切り板８及び後側仕切り板９の長手方向（左右方向）の略中央位置に配置され、前側仕切り板８と後側仕切り板９とを所定距離離間した状態で保持（固定）するとともに、その上部に顧客用液晶表示器５を載置するための表示器設置部を構成している。また、構造枠体１０は、床面Ｆ上に接地された接地部材１３の上部に固設されている。つまり、構造枠体１０の前後面には前側仕切り板８及び後側仕切り板９が固着され、接地部材１３を介して設置されるため、前側仕切り板８及び後側仕切り板９は間接的に天板６を支持している。
【００２９】
接地部材１３は、前側仕切り板８及び後側仕切り板９の長手方向にわたって配設されるとともに、その前端は、図３に示されるように、前側仕切り板８よりも内側にオフセットした状態で配置され、前側仕切り板８の下端と床面Ｆとの間に、顧客の足を挿入可能なケコミ部が形成されている。
【００３０】
前側仕切り板８の上部における左右方向の中央位置には、図２に示されるように、左右側板７，７間に形成される仕切空間部Ｓ１内における表示部５ａの前方領域を拡大させるための膨出部２０が、前方に向けて膨出するように形成されている。膨出部２０は、下端よりも上端が前側に位置するように傾斜する傾斜面２０ａと、該傾斜面２０ａの左右側に配設される側面２０ｂと、から側面視三角形状に形成され、該膨出部２０が形成されることにより、図３に示されるように表示部５ａの前方空間が前側に拡大するため、顧客が透視窓１４の直上位置から覗き込まなくても、顧客用椅子３に着座した状態で表示部５ａを視認することができるようになっている。
【００３１】
構造枠体１０の上部には、図２及び図４に示されるように、台形状の遮蔽側板１７，１７と、これら遮蔽側板１７，１７の前端部間に配置される遮蔽前板１６と、液晶表示器５における表示部５ａの周囲に配設される遮蔽傾斜板１８と、が配設されており、これら遮蔽側板１７，１７、遮蔽前板１６、遮蔽傾斜板１８により構成される側面視略三角形状の視認用空間部Ｓ２が、透視窓１４の下方に形成されている。つまり、視認用空間部Ｓ２は、透視窓１４に連通し、かつ、透視窓１４と仕切空間部Ｓ１との連通を遮蔽するように設けられているため、仕切空間部Ｓ１内が透視窓１４を通して視認不能に隠蔽される。
【００３２】
遮蔽傾斜板１８は、左右方向の略中央位置に長方形状の表示開口１８ａが形成されており、該遮蔽傾斜板１８の後面側に配設される顧客用液晶表示器５の表示部５ａを、表示開口１８ａを通して前方の視認用空間部Ｓ２に臨ませることができるようになっている。
【００３３】
仕切空間部Ｓ１における遮蔽傾斜板１８の後面側には、顧客用液晶表示器５が、その表示部５ａを表示開口１８ａに臨ませるように、表示部５ａ周囲枠前面を遮蔽傾斜板１８の後面に当接させた状態で固設されている。具体的には、表示開口１８ａの左右側には、三角形状の支持板１９，１９が構造枠体１０の上部から立設されているとともに、これら支持板１９，１９間には、図２及び図３に示されるようにコ字形の金属板２５が架設されており、顧客用液晶表示器５は、遮蔽傾斜板１８の後面と金属板２５の前面とに挟持された状態で固設されている。つまり、遮蔽傾斜板１８の後面に沿うように配設される顧客用液晶表示器５は、表示部５ａが斜め前方を向くように所定角度（θ１＝約４５度）傾けた状態で配設される。
【００３４】
以上説明したように、本発明の実施例としてのカウンター装置１にあっては、天板６の上方に薄型表示装置である顧客用液晶表示器５を突出させることなく、天板６下方に形成された仕切空間部Ｓ１内に収容されるため、顧客用液晶表示器５が店員と顧客との対話の邪魔になることがないとともに、顧客用液晶表示器５が薄型であり、かつ前方に傾斜するように配設されていることで、顧客用液晶表示器５の表示部５ａを上方の透視窓１４に向けて略水平に配設する場合よりも、仕切り仕切空間部Ｓ１の前後幅（前側仕切り板８と後側仕切り板９との離間幅）を短寸にできるため、天板６の下方における前側仕切り板８の前方及び後側仕切り板９の後方に、極力広い下肢空間を確保することができる。
【００３５】
また、天板６は、該天板６の前後幅寸法よりも幅広な左右の側板７，７により支持されるため、仕切り仕切空間部Ｓ１の前後幅（前側仕切り板８と後側仕切り板９との離間幅）が短寸となっても安定性を維持できるとともに、顧客用液晶表示器５の前後が前側仕切り板８と後側仕切り板９とにより覆われて外部に露呈することがないので、外観体裁が損なわれることがない。
【００３６】
さらに、特に図示はしないが、顧客用液晶表示器５から延出される電源コードや、コンピュータ４に接続するためのケーブル等を、仕切空間部Ｓ１内に配線することができるばかりか、これら配線が外部に露呈することがない。特に仕切空間部Ｓ１は長手方向にわたり連続して形成されているため、透視窓１４の側方のコンピュータ設置部３０に設置されるコンピュータ４まで体裁よく配線できる。
【００３７】
また、前側仕切り板８における顧客用液晶表示器５と対向する箇所には、透視窓１４に連通するように前方に向けて膨出する膨出部２０が形成されていることで、図３に示されるように、表示部５ａの前方に、透視窓１４に連通する視認用空間部Ｓ２が形成される。よって、顧客用液晶表示器５が前方に傾斜するように配設されても、顧客が前方から乗り出して透視窓１４を覗き込まなくても、顧客用椅子３に着座した状態で表示部５ａの下部領域を視認することができるため、表示部５ａの視認性が向上する。
【００３８】
さらに、該膨出部２０は、前側仕切り板８における左右方向の中央位置に部分的に形成されているとともに、上方に向けて前方に傾斜する傾斜面２０ａを有していることで、天板６の下方における前側仕切り板８よりも前方に、極力広い下肢空間を確保することができる。
【００３９】
また、透視窓１４の左右幅寸法Ｌ２を、表示部５ａの左右幅寸法Ｌ１よりも大（Ｌ２＞Ｌ１）としたことで、表示部５ａの左右側方からの視認範囲を極力広げることができるため、図１に示されるように、１つの表示部５ａを複数の顧客が並んで見る場合等において、顧客が左右側方から乗り出して透視窓１４を覗き込まなくても、顧客用椅子３に着座した状態で表示部５ａの下部領域を視認することができるため、表示部５ａの視認性が向上する。
【００４０】
また、透視窓１４の左右幅寸法Ｌ２は、天板６の左右幅寸法Ｌ３よりも小寸（Ｌ３＞Ｌ２）とされ、かつ、天板６の左右方向の略中央位置に透視窓１４が形成されていることで、天板６の上面における透視窓１４の左右側方、つまり天板６の上面における透視窓１４と側板７との間に、店員が使用するコンピュータ４を設置するためのコンピュータ設置部３０が形成できる。すなわち、天板６における長手方向の中央位置に形成される透視窓１４の左右側方にコンピュータ設置部３０が形成されることで、店員と顧客との間にコンピュータ４を設置しなくて済むため、店員と顧客同士の対話の邪魔になることがない。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、天板６の上面における左右両側方にコンピュータ設置部３０が形成されていたが、左右のうち少なくとも一方にのみ形成されていてもよい。
【００４３】
また、前記実施例では、透視窓１４が透明なアクリル板にて閉塞されていたが、下方に配設される表示部５ａを外部から視認できるものであれば、必ずしも透明なアクリル板でなくてもよく、透光性を有する透光性部材であれば、材質や透明性は問わない。また、窓部は必ずしもアクリル板１５等により閉塞しなくてもよい。
【００４４】
また、前記実施例では、前側仕切り板８及び後側仕切り板９は左右側板７，７と連結されていたが、天板６の下方空間を前後に仕切るように配設されていれば、必ずしも左右側板７，７と連結されていなくてもよく、例えば天板６の下面と連結されているだけでもよい。また、前側仕切り板８及び後側仕切り板９の双方の下端を床面Ｆ上に直接接地させ、天板６の荷重を支持しうるようにしてもよい。
【００４５】
また、前記実施例では、天板６上に形成されたコンピュータ設置部３０に、コンピュータ４における出力装置としての店員用液晶表示器４ａ及び入力装置４ｂが設置されていたが、例えば制御装置や記憶装置等が搭載される本体部をコンピュータ設置部３０に設置してもよい。つまり、コンピュータ設置部３０には、コンピュータ４を構成する全ての装置が設置されていなくてもよいし、表示装置や入力装置等の一部の装置のみが設置されていてもよい。尚、本体部は仕切空間部Ｓ１内等に配置してもよい。
【００４６】
また、前記実施例では、視認用空間部Ｓ２と仕切空間部Ｓ１とは遮蔽板を介して遮蔽（区画）されていたが、必ずしも遮蔽されていなくてもよい。
【図面の簡単な説明】
【００４７】
【図１】本発明の実施例としてのカウンター装置が設置されている状態を示す平面図である。
【図２】カウンター装置の内部構造を示す斜視図である。
【図３】図１のＡ−Ａ断面図である。
【図４】図３のＢ−Ｂ断面図である。
【符号の説明】
【００４８】
１            カウンター装置
４            コンピュータ
４ａ          店員用液晶表示器（コンピュータ）
５            顧客用液晶表示器（薄型表示装置）
５ａ          表示部
６            天板
７            側板
８            前側仕切り板（仕切り部材）
９            後側仕切り板（仕切り部材）
１０          構造枠体
１４          透視窓（窓部）
１８          遮蔽傾斜板
１８ａ        表示開口
２０          膨出部
２０ａ        傾斜面
３０          コンピュータ設置部
Ｓ１          仕切空間部
Ｓ２          視認用空間部
【図１】
2009017928.tif 000003
【図２】
2009017928.tif 000004
【図３】
2009017928.tif 000005
【図４】
2009017928.tif 000006